(57)【要約】【課題】多くの配線が結線された機器の端子から配線を取り外し、その後、取り外した配線を再び端子に結線する際、所定の配線を容易に見つけることができ、また誤りなく速やか結線することができる誤結線防止配線保持具を得る。【解決手段】配線保持具１は、長手方向に略等間隔に穿孔され配線６が貫通可能な穴径の複数の保持孔２、複数の保持孔２に対して各々設けられ第１の長辺１ａと保持孔２との間が切り込まれて形成された複数の案内スリット３、案内スリット３の対向する２辺の内側に辺に沿って設けられ、可撓性が増すように薄肉とされて形成され、案内スリット３の幅を保持孔２の径より狭い幅にするとともに所定の力が加わったときに弾性変形して配線６を案内スリット３内で通過させる第１の薄肉部４ａ、複数の保持孔２の近傍に設けられ保持孔２に挿入された配線６の線番が記入される線番記入部５を有する。【選択図】        図１
2004180389.tif 000002
【特許請求の範囲】
【請求項１】
細長薄板状をなし可撓性を有する材料で作製された配線保持具であって、
長手方向に略等間隔に穿孔され配線が貫通可能な穴径の複数の保持孔、
前記複数の保持孔に対して各々設けられ第１の長辺と該保持孔との間が切り込まれて形成された複数の案内スリット、
前記案内スリットの対向する２辺の内側に該辺に沿って設けられ、可撓性が増すように薄肉とされて形成され、該案内スリットの幅を前記保持孔の径より狭い幅にするとともに所定の力が加わったときに弾性変形して前記配線を該案内スリット内で通過させる第１の薄肉部、
前記複数の保持孔の近傍に設けられ該保持孔に挿入された前記配線の線番が記入される線番記入部
を有することを特徴とする誤結線防止配線保持具。
【請求項２】
前記保持孔の内周縁に全周にわたって設けられ、可撓性が増すように薄肉とされて形成され、該保持孔の穴径を前記配線の直径より小さい径とするとともに該保持孔内に該配線が挿入されたときに弾性変形して該配線を所定の力で保持する第２の薄肉部
をさらに有することを特徴とする請求項１に記載の誤結線防止配線保持具。
【請求項３】
前記第１の長辺に辺に沿って設けられた嵌合部、前記第１の長辺の反対側の第２の長辺に辺に沿って設けられ前記嵌合部と嵌合する非嵌合部
をさらに有することを特徴とする請求項１または２に記載の誤結線防止配線保持具。
【請求項４】
前記保持孔は１直線上に設けられており、
前記複数の保持孔がなす列の中心線を対称の軸として、線対称の位置にそれぞれ設けられた、係合部及び該係合部に係合する非係合部
をさらに有することを特徴とする請求項１から３のいずれかに記載の誤結線防止配線保持具。
【請求項５】
前記保持孔は１直線上に設けられており、
前記複数の保持孔がなす列の中心点を対称の中心として、点対称の位置にそれぞれ設けられた、係合部及び該係合部に係合する非係合部
をさらに有することを特徴とする請求項１から３のいずれかに記載の誤結線防止配線保持具。
【発明の詳細な説明】
【０００１】
【発明の属する技術分野】
この発明は、例えばエレベータの制御盤内に設置される継電器等のように多数の外部配線が結線された機器に対して、この機器から配線を外し、機器を新しい機器に取り替える等の作業をした後、この機器に再び配線をするような作業に用いられる補助具に関し、特に煩雑な結線作業を容易にすることができる補助具に関するものである。
【０００２】
【従来の技術】
例えばエレベータの制御盤内に設置される継電器は多数の端子を有している。この多数の端子には、制御盤内の種々の箇所から集まった配線が各々結線されている。そして、この継電器が例えば故障して取り替える必要が生じた場合、まず継電器に結線された配線を全て取り外し、その後、継電器を新しいものに取り替え、再び各端子に結線をする作業が発生する。
【０００３】
このように多くの配線が結線された機器から配線を取り外し、その後、取り外した配線を再び結線する作業を行う場合、特に端子を再び結線する工程においては、多数の配線を誤りなく且つ速やかに結線することは容易でない。そこで、従来、配線の線番を記入した絵布（絵符）を予め用意し、これを各配線に直接結び付け、或いはワニ口クリップ付きの絵布を各配線に取り付けてから、全ての配線を取り外し、その後、この絵布を頼りにして各配線を再び元の端子に再結線する方法が提案されている（例えば、非特許文献１参照）。
【０００４】
【非特許文献１】
発明協会公開技報公技番号９８−３９１３号
【０００５】
【発明が解決しようとする課題】
しかしながら、このような構成の従来の絵布においては、結線される配線の本数が多くなればなるほど、それに合わせて多くの絵布を用意する必要がある。また、配線の本数が非常に多い場合には絵布を付ける作業に多くの時間を要し、さらにまた、取り外した多くの配線から所定の配線を見つけ出すことが容易でなく、さらに結線後の配線から絵布を取り外す作業においても多くの時間を必要とするので改善が求められていた。
【０００６】
この発明は、上述のような課題を解決するためになされたもので、多くの配線が結線された機器の端子から配線を取り外し、その後、取り外した配線を再び端子に結線する際、所定の配線を容易に見つけることができ、また誤りなく速やかに結線することができる誤結線防止配線保持具を得ることを目的とする。
【０００７】
【課題を解決するための手段】
この発明に係る誤結線防止配線保持具は、細長薄板状をなし可撓性を有する材料で作製された配線保持具であって、長手方向に略等間隔に穿孔され配線が貫通可能な穴径の複数の保持孔、複数の保持孔に対して各々設けられ第１の長辺と保持孔との間が切り込まれて形成された複数の案内スリット、案内スリットの対向する２辺の内側に辺に沿って設けられ、可撓性が増すように薄肉とされて形成され、案内スリットの幅を保持孔の径より狭い幅にするとともに所定の力が加わったときに弾性変形して配線を案内スリット内で通過させる第１の薄肉部、複数の保持孔の近傍に設けられ保持孔に挿入された配線の線番が記入される線番記入部を有する。
【０００８】
【発明の実施の形態】
実施の形態１．
図１はこの発明の実施の形態１の誤結線防止配線保持具１を示す正面図である。また、図２は図１のＡ−Ａ線に沿う矢視断面図である。さらに、図３は図１のＢ−Ｂ線に沿う矢視断面図である。図において、誤結線防止配線保持具１は、矩形細長薄板状をなしナイロン、ポリプロピレン等の可撓性を有する合成樹脂にて一体に成形されている。この誤結線防止配線保持具１の作製に関しては、長尺帯状の合成樹脂材料を必要な長さに切断し、これに機械加工を加えて作製してもよいし、またモールド樹脂等を用いて成形型にて一体に成形してもよい。
【０００９】
誤結線防止配線保持具１の主面には、長手方向に沿って等間隔に複数の円形の保持孔２が穿孔されている。複数の保持孔２に対して各々案内スリット３が設けられている。案内スリット３は、誤結線防止配線保持具１の第１の長辺１ａと各保持孔２との間に形成され第１の長辺１ａから保持孔２に向かって切り込みを入れたように形成されている。すなわち、案内スリット３は第１の長辺１ａから始まり保持孔２につながる位置まで形成された細い切り込みである。そして、案内スリット３の幅は保持孔２の直径より狭い幅にされている。
【００１０】
案内スリット３の対向する２辺の内側には、各々の辺に沿うように第１の薄肉部４ａが設けられている。また、保持孔２の内周縁には、全周にわたって第２の薄肉部４ｂが設けられている。第１の薄肉部４ａ及び第２の薄肉部４ｂは、図２及び図３によく示されるように可撓性に富むように他の部分よりも薄肉とされて形成されている。第２の薄肉部４ｂは、保持孔２の穴径を挿入される配線の直径より小さい径とするとともに、保持孔２内に配線が挿入されたときに弾性変形して配線を所定の力で保持する。第１の薄肉部４ａは、案内スリット３の幅を保持孔２の径よりさらに狭い幅にするとともに所定の力が加わったときに弾性変形して配線を案内スリット３内で通過させる。
【００１１】
また、誤結線防止配線保持具１の主面には、保持孔２を貫通する配線の線番が記入される領域として線番記入部５が設けられている。線番記入部５は、実際には複数の保持孔２の近傍に設けられた所定の広さの平滑な部分であり、この線番記入部５には、例えばサインペン等で線番或いは端子番号が記入される。
【００１２】
ここで、１つの誤結線防止配線保持具１を複数の機器に対して繰り返して用いたい場合には、作業終了後に線番を消すことが出来るように、例えば水性の筆記具等を使って一時的に線番記入部５に線番を記入するようにしてもよい。
一方、所定の機器に対応して１つの誤結線防止配線保持具１を常に使用する場合には、線番が消えないように例えば油性の筆記具等を使って線番を記入し、或いは、印刷により転写する等して線番を記入してもよい。
【００１３】
図４は図１の誤結線防止配線保持具１の保持孔２に配線６が挿入された様子を示す断面図である。保持孔２に配線６が挿入されたとき、第２の薄肉部４ｂは図４に示されるように撓み、配線６を保持孔２内に所定の強さで保持する。これにより配線６は保持孔２内で移動が規制され、配線６の配線保持具１からの抜けが防止される。保持孔２の直径及び第２の薄肉部４ｂの幅は、所定の強さで配線６を保持するように配線６の径に合わせて設計されている。また、案内スリット３及びこれに設けられた第１の薄肉部４ａの幅は、案内スリット３を経由して所定の力で配線６を保持孔２内に引き入れることが可能であるとともに、一度保持孔２内に引き入れられた配線６が不用意に脱落しないような幅に設計されている。
一方、第１の薄肉部４ａ及び第２の薄肉部４ｂを設ける目的は、太さの異なる配線６に対して同一の配線保持具１を使えるようにすることにもある。
【００１４】
保持孔２に配線６を挿入するときは、第１の長辺１ａ側から案内スリット３に配線６を挿入し、第１の薄肉部４ａを弾性変形させながら配線６を案内スリット３内で移動させて保持孔２まで導く。案内スリット３の対向する辺の内側には上述のように第１の薄肉部４ａが設けられており、一旦保持孔２内に装着された配線６は少しの力では案内スリット３から抜けないようにされている。そして、本実施の形態においては、この第１の薄肉部４ａが案内スリット３の対向する辺の内側と保持孔２の内周縁に形成されている為に非常に使い勝手が良いものになっている。
【００１５】
図５は図１の誤結線防止配線保持具１に複数の配線が装着された様子を示す斜視図である。尚、図５においては、第１の薄肉部４ａ及び第２の薄肉部４ｂが省略されて記載されている。図５を用いて作業手順を説明する。まず、継電器から取り外される複数の配線６をそれぞれ１本ずつ案内スリット３に割り込ませて保持孔２内に保持する。次に線番記入部５に線番或いは端子番号を記入する（上述のようにすでに線番が記入されている場合にはこの作業はない）。その後、継電器から全ての配線６を取り外す。図５はこのときの状態を示している。そして、継電器を制御盤から外し替わりに新たな継電器を取り付け、その後、線番記入部５に記入された番号を頼りにして各配線６を対応する端子に再び結線する。
【００１６】
このような構成の誤結線防止配線保持具１においては、再び結線する際に線番記入部５に記入された番号を頼りにすれば、誤結線することなく速やかに手際よく作業をすることができる。そして、従来の方法と比べて絵布の取り付け取り外しの手間がなくなり大幅に時間を短縮することができるとともに、取り外した多くの配線から所定の配線を見つけ出す煩わしさがなくなり作業が非常に容易なものとなる。
【００１７】
尚、本実施の形態の誤結線防止配線保持具１は、これまで説明したように外した配線を再び元の端子に結線する作業に用いられているが、これに限らず、全く新たに機器を設置する際に用いられてもよい。この場合は、結線する配線６を予め誤結線防止配線保持具１にセットし、その後、機器の端子に結線するようにすれば、結線時に配線６がばらばらになることがなく作業性が向上する。
【００１８】
さらに、本実施の形態においては、薄肉部として、案内スリット３に設けられた第１の薄肉部４ａ及び保持孔２に設けられた第２の薄肉部４ｂが設けられている。しかしながら、保持孔２に設けられた第２の薄肉部４ｂは、保持孔２に挿入された配線６を保持する必要がない場合には省略されてもよい。
【００１９】
実施の形態２．
図６はこの発明の実施の形態２の誤結線防止配線保持具１１を示す正面図である。また、図７は図６のＣ−Ｃ線に沿う矢視断面図である。さらに、図８は２つの誤結線防止配線保持具１１が連結された様子を示す斜視図である。尚、図８においては第１の薄肉部４ａ及び第２の薄肉部４ｂが省略されて記載されている。本実施の形態の誤結線防止配線保持具１１においては、第１の長辺１１ａに辺に沿って嵌合部７ａが設けられている。そして、第１の長辺１１ａの反対側の第２の長辺１１ｂに辺に沿って非嵌合部７ｂが設けられている。その他の構成は実施の形態１と同様である。
【００２０】
嵌合部７ａは、第１の長辺１１ａに案内スリット３の部分だけ除いて他の部分全体に設けられている。すなわち、第１の長辺１１ａに沿って断続的に設けられている。嵌合部７ａの断面は図７に示されるように円形である。一方、第１の長辺１１ａの反対側の第２の長辺１１ｂに設けられた非嵌合部７ｂは、図７に示されるように断面Ｃ字形である。そして、２枚の誤結線防止配線保持具１１が、嵌合部７ａと非嵌合部７ｂとを嵌合されて並列に連結される。すなわち、嵌合部７ａと非嵌合部７ｂは、２枚の誤結線防止配線保持具１１を連結する連結手段を構成している。
【００２１】
作業手順を説明する。まず、継電器から取り外される複数の配線６をそれぞれ１本ずつ案内スリット３に割り込ませて１枚目の誤結線防止配線保持具１１の保持孔２内に保持する。そして、線番記入部５に線番或いは端子番号を記入する。その後、２枚目の誤結線防止配線保持具１１を１枚目のものに連結させる。この連結の方法は、１枚目の配線保持具１１に設けられた嵌合部７ａの端部と２枚目の非嵌合部７ｂの端部を少しだけ嵌め合わせ、その後、２枚を相互にスライドさせて全体の嵌合部７ａと非嵌合部７ｂを嵌合させる。図８はこのときの状態を示している。その後、２枚目の配線保持具１１の保持孔２に配線６を装着する。そして、線番記入部５に線番或いは端子番号を記入する。必要であれば、３枚目の配線保持具１１を連結して、同様な作業をする。
【００２２】
このような構成の誤結線防止配線保持具１１においては、複数枚の誤結線防止配線保持具１１を連結して用いることができるので、さらに多数の配線６に対応することができるとともに、配線６の抜けを確実に防止することができる。
【００２３】
尚、本実施の形態においては、嵌合部７ａが断面円形で非嵌合部７ｂが断面Ｃ字形であるが、これが逆となってもよく、また、嵌合部７ａ及び非嵌合部７ｂは、断面円形と断面Ｃ字形に限らず、例えば、断面菱形とこれを覆う断面形状のものであってもよいことは言うまでもない。
【００２４】
実施の形態３．
図９はこの発明の実施の形態３の誤結線防止配線保持具２１を示す正面図である。また、図１０は図９のＤ−Ｄ線に沿う矢視断面図である。さらに、図１１は係合部の拡大図である。図１２は２つの誤結線防止配線保持具２１が結合された様子を示す斜視図である。尚、図９及び図１２においては第１の薄肉部４ａ、第２の薄肉部４ｂ薄肉部４及び線番を省略している。本実施の形態の誤結線防止配線保持具２１に設けられた複数の保持孔２は１直線上に形成されている。そして、保持孔２列の中心線Ｑから距離Ｐ１離れた位置に係合部８ａが設けられ、また、保持孔２の中心線Ｑを対称の軸として、線対称の位置に非係合部８ｂが設けられている。そして、対称の位置に設けられた係合部８ａと非係合部８ｂとが一対の結合手段を構成し、この対がさらに保持孔２の中心線に沿って所定のピッチ間隔Ｐ２だけ離れながら複数個設けられている。本実施の形態においては、３対が設けられている。
【００２５】
係合部８ａと非係合部８ｂは、保持孔２の中心線を対称の軸として線対称、且つ保持孔２の中心線Ｑに沿って等間隔の位置に設けられているので、配線保持具２１の両端に設けられた２対の係合部８ａ、非係合部８ｂの中心点をＯとすると、複数対の係合部８ａと非係合部８ｂは、この中心点Ｏを対称の中心として、点対称の位置にそれぞれ設けられていることになる。
【００２６】
係合部８ａは配線保持具２１の表面に突設された突起である。一方、非係合部８ｂは配線保持具２１の主面に穿孔された孔である。係合部８ａは、図１０の断面図に示されるように上端部が半球状に面取りされ、非係合部８ｂに挿入しやすい形状とされている。また、係合部８ａは、図１１の拡大図に示されるように配線保持具２１の主面に対して垂直に交わり且つ互い垂直に交わる２つの面で４分割され、外形が小さくなる方向に所定の弾性力を持つ形状とされている。これは、係合部８ａが非係合部８ｂに挿入されて係合したときに所定の固さで結合するためである。
【００２７】
本実施の形態の誤結線防止配線保持具２１は、上述のような形状をなしているため、図１２に示されるように、互いに案内スリット３の開口方向を逆にして２枚重ねて結合することが可能である。係合部８ａと非係合部８ｂは、２枚の誤結線防止配線保持具２１を重ねて結合する結合手段を構成している。そのため、１枚目の配線保持具２１に配線６をセットした後、この配線６の列に向きを逆にした２枚目の配線保持具２１を嵌め込み、さらに２枚を結合すると確実に配線６の抜けを防止することができる。また、本実施の形態の配線保持具２１は、２枚を重ねて結合することが可能なので、実施の形態２のように幅が約２倍に広がることがなく、例えば狭い制御盤内においても使いやすいものとなる。
【００２８】
２枚の誤結線防止配線保持具２１の結合のさせ方においては、１枚目の誤結線防止配線保持具２１に対して、２枚目の誤結線防止配線保持具２１を裏返して表面と裏面を向かい合わせて結合させることができる。また、２枚目の誤結線防止配線保持具２１を裏返さずに１８０度回転させた状態で結合させることができる。
【００２９】
実施の形態４．
図１３はこの発明の実施の形態４の誤結線防止配線保持具３１を示す正面図である。本実施の形態の誤結線防止配線保持具３１に設けられた係合部９ａと非係合部９ｂは、保持孔２の中心線に対して対称の位置に設けられていない。しかしながら、係合部９ａと非係合部９ｂは、複数の保持孔２がなす列の中心点Ｏを対称の中心として点対称の位置に設けられている。そのため、２枚の誤結線防止配線保持具３１を互いに表面を向き合わせて結合させることはできないが、表面と裏面を向き合わせて且つ一方の配線保持具３１を１８０度回転させた状態で結合させることができる。
【００３０】
【発明の効果】
この発明に係る誤結線防止配線保持具は、細長薄板状をなし可撓性を有する材料で作製された配線保持具であって、長手方向に略等間隔に穿孔され配線が貫通可能な穴径の複数の保持孔、複数の保持孔に対して各々設けられ第１の長辺と保持孔との間が切り込まれて形成された複数の案内スリット、案内スリットの対向する２辺の内側に辺に沿って設けられ、可撓性が増すように薄肉とされて形成され、案内スリットの幅を保持孔の径より狭い幅にするとともに所定の力が加わったときに弾性変形して配線を案内スリット内で通過させる第１の薄肉部、複数の保持孔の近傍に設けられ保持孔に挿入された配線の線番が記入される線番記入部を有するので、多くの配線が結線された機器から配線を取り外し、その後、取り外した配線を再び端子に結線する作業の際、所定の配線を容易に見つけることができ、また誤りなく速やか結線することができ、作業性が向上する。
【図面の簡単な説明】
【図１】この発明の実施の形態１の誤結線防止配線保持具を示す正面図である。
【図２】図１の誤結線防止配線保持具のＡ−Ａ線に沿う矢視断面図である。
【図３】図１の誤結線防止配線保持具のＢ−Ｂ線に沿う矢視断面図である。
【図４】図１の誤結線防止配線保持具の保持孔に配線が挿入された様子を示す断面図である。
【図５】図１の誤結線防止配線保持具に複数の配線が装着された様子を示す斜視図である。
【図６】この発明の実施の形態２の誤結線防止配線保持具を示す正面図である。
【図７】図６のＣ−Ｃ線に沿う矢視断面図である。
【図８】２つの誤結線防止配線保持具が連結された様子を示す斜視図である。
【図９】この発明の実施の形態３の誤結線防止配線保持具を示す正面図である。
【図１０】図９のＤ−Ｄ線に沿う矢視断面図である。
【図１１】係合部の拡大図である。
【図１２】２つの誤結線防止配線保持具が結合された様子を示す斜視図である。
【図１３】この発明の実施の形態４の誤結線防止配線保持具を示す正面図である。
【符号の説明】
１，１１，２１，３１  誤結線防止配線保持具、１ａ  第１の長辺、２  保持孔、３  案内スリット、４ａ  第１の薄肉部、４ｂ  第２の薄肉部、５  線番記入部、６  配線、７ａ  嵌合部（連結手段）、７ｂ  非嵌合部（連結手段）、８ａ，９ａ  係合部（結合手段）、８ｂ，９ｂ  非係合部（結合手段）、１１ａ  第１の長辺、１１ｂ  第２の長辺。
【図１】
2004180389.tif 000003
【図２】
2004180389.tif 000004
【図３】
2004180389.tif 000005
【図４】
2004180389.tif 000006
【図５】
2004180389.tif 000007
【図６】
2004180389.tif 000008
【図７】
2004180389.tif 000009
【図８】
2004180389.tif 000010
【図９】
2004180389.tif 000011
【図１０】
2004180389.tif 000012
【図１１】
2004180389.tif 000013
【図１２】
2004180389.tif 000014
【図１３】
2004180389.tif 000015